(57)【特許請求の範囲】
【請求項１】
インクを吐出可能な記録ヘッドを用い、記録媒体を支持可能なプラテンの支持面に沿って搬送される前記記録媒体に対して、前記記録ヘッドからインクを吐出することによって画像を記録する記録装置であって、
記録媒体を支持する前記プラテンの支持面に形成され、記録媒体の搬送が行われる搬送方向に延びる溝と、
前記溝の内部に形成されて吸引を行う第１の吸引部と、
前記第１の吸引部から外気を吸引させる第１の吸引手段と、
前記プラテンの支持面に形成された第２の吸引部と、
前記第２の吸引部から外気を吸引させる第２の吸引手段と、
記録媒体の剛性及び記録デューティの少なくとも一方に基づいて、第１の吸引手段による吸引量と第２の吸引手段による吸引量との割合を制御することが可能な制御手段と、
を有することを特徴とする記録装置。
【請求項２】
前記制御手段は、記録媒体の剛性が低い程、前記第２の吸引手段による吸引量に対して前記第１の吸引手段による吸引量の割合を小さくすることを特徴とする請求項１に記載の記録装置。
【請求項３】
前記制御手段は、前記記録デューティが低い程、前記第２の吸引手段による吸引量に対して前記第１の吸引手段による吸引量の割合を小さくすることを特徴とする請求項１または２に記載の記録装置。
【請求項４】
前記第１の吸引手段は、前記第１の吸引部から外気を吸引するための第１の吸引ファンを備え、
前記第２の吸引手段は、前記第２の吸引部から外気を吸引するための第２の吸引ファンを備える
ことを特徴とする請求項１から３のいずれか１項に記載の記録装置。
【請求項５】
前記第１の吸引手段は、外気に連通する外気ダクトと、前記第１の吸引ファンに接続される吸引ダクトと、前記第１の吸引部に対して前記外気ダクトまたは前記吸引ダクトを選択的に接続する接続手段と、を有することを特徴とする請求項４に記載の記録装置。
【請求項６】
前記第１及び第２の吸引手段は、前記第１及び第２の吸引部から外気を吸引可能な共通の第３の吸引ファンを備えることを特徴とする請求項１から３のいずれか１項に記載の記録装置。
【請求項７】
前記制御手段は、前記第１の吸引手段による吸引量と前記第２の吸引手段による吸引量とを個別に制御することを特徴とする請求項１から５のいずれか１項に記載の記録装置。
【請求項８】
前記制御手段は、前記第１の吸引手段による吸引量と前記第２の吸引手段による吸引量との合計の吸引量を一定とするように、前記第１の吸引手段による吸引量と前記第２の吸引手段による吸引量とを関連的に制御することを特徴とする請求項１から６のいずれか１項に記載の記録装置。
【請求項９】
前記制御手段は、記録媒体が前記記録ヘッドに接触せずに、かつ前記記録ヘッドとの対向方向における記録媒体の変動が所定の範囲内に収まるように、前記第１及び第２の吸引手段による吸引量を制御することを特徴とする請求項１から８のいずれか１項に記載の記録装置。
【請求項１０】
前記記録ヘッドと記録媒体との間の距離を検知する距離検知手段と、
前記第１及び第２の吸引手段による吸引量を変更して記録媒体の前記支持面への吸着を複数回行った場合に、前記距離検知手段によって検知される距離が所定の範囲に収まるときの前記第１及び第２の吸引手段による吸引量を、記録媒体に画像を記録するときの前記制御手段による前記第１及び第２の吸引手段による吸引量として設定する吸引量設定手段と、
を備えることを特徴とする請求項１から９のいずれか１項に記載の記録装置。
【発明の詳細な説明】
【技術分野】
【０００１】
本発明は、プラテン上で記録媒体を吸着して記録を行う記録装置に関する。
【背景技術】
【０００２】
プリンタ、複写機、ファクシミリ、スキャナ、あるいはこれらの複合機器やシステムなどでは、画像情報に基づいて記録ヘッドにより記録紙等の記録媒体に画像を記録する記録装置が使用されている。かかる記録装置の一形態として、記録ヘッドの吐出口から記録媒体へインクを吐出して画像を記録するインクジェット記録装置が広く使用されている。
【０００３】
インクジェット記録装置においては、安定した記録を行うために、記録媒体にインクが付着した際に発生するしわや波打ち等の変形（コックリングともいう）が生じるのを抑える必要がある。また、記録媒体に巻き癖等によるカールといった変形が生じるのを抑える必要がある。プラテン上で記録媒体の変形が生じると、記録媒体が記録ヘッドやキャリッジ等に接触して記録画像の画質低下の原因となるからである。
【０００４】
そこで、記録媒体と記録ヘッドとの距離を一定に保持するための手段として、例えば、記録ヘッドと対向して配置されるプラテンに吸着手段を設け、記録媒体をプラテンに吸着させることが特許文献１に提案されている。特許文献１の記録装置によれば、カールやコックリング等による記録媒体の変形が抑えられながら記録を行うことができる。このような記録媒体の吸引手段として、例えば、記録媒体を支持するプラテンに搬送方向に沿って形成された溝を設け、溝内に形成された吸引孔からの負圧によって記録媒体をプラテンに吸着する記録装置が開示されている。また、プラテンに溝が形成されていることで、記録媒体にコックリングが生じたとしても、コックリングによる記録媒体の変形部分が溝の間に入り込む。これにより、コックリングによる記録媒体の変形によって記録ヘッドと記録媒体との間の距離が均一でなくなることが抑えられる。
【０００５】
さらにこの特許文献１の記録装置においては、隣り合う複数のリブの間に溝が形成されており、リブについては比較的低いものと比較的高いものの二種類が形成されている。記録装置がこのように構成されているので、比較的腰の弱い記録媒体、つまり剛性が低くてたわみ易い記録媒体をプラテンに吸着する際には、記録媒体が溝の形状に沿った姿勢の状態で記録を行うことができる。一方、腰の強い記録媒体をプラテンに吸着する際にはリブの上部で記録媒体が支持された状態で記録媒体に記録を行うことができる。従って、異なる腰の強さの記録媒体に対応して、記録媒体をプラテンに吸着させて搬送することができる。
【先行技術文献】
【特許文献】
【０００６】
【特許文献１】特開２００９−７８５７１号公報
【発明の概要】
【発明が解決しようとする課題】
【０００７】
しかしながら、特許文献１の記録装置では、記録媒体がプラテンの全体の領域から一様に吸着されているので、記録媒体のコックリングの発生の程度に部分的な変化が生じた場合に、記録装置がこれに十分に対応できない場合がある。高記録デューティによる記録が行われた場合には、単位記録領域当たりのインクの付与量の増加によりコックリングの程度が大きくなる場合がある。高記録デューティの記録により程度の大きいコックリングが生じた記録媒体を適切にプラテンに吸着させるように、高い吸引圧によって吸着を行った場合には、低記録デューティによる記録が行われた記録媒体をプラテンに適切に吸着させることが難しい。線画等の低記録デューティによる記録が行われる場合には、コックリングの程度が小さい場合がある。特に、比較的腰の弱い普通紙やプルーフ用紙等に低記録デューティの記録が行われた場合には、記録媒体にコックリングが生じてもいないのに吸引孔からの吸引によって記録媒体がリブの間に入り込むことがある。これによって、記録媒体が、波打ってプラテン上に配置される可能性がある。その場合、記録媒体と記録ヘッドとの間の距離が位置ごとに変化し、これにより、記録ヘッドから吐出されるインクの着弾ずれが発生し、ハッチングなどの規則的な線画の記録の際に記録画像にムラが発生する可能性がある。
【０００８】
また、このような記録画像に生じるムラの低減のために、吸引孔からの吸引圧を下げることが考えられる。しかしながら、単に吸引圧を低下させるだけでは、記録媒体のカールやコックリングによる記録媒体の変形を抑えることができず、これによって記録画像の品質が低下する可能性がある。
【０００９】
そこで、本発明は上記の事情に鑑みてなされたものであり、異なる記録媒体の特性及び記録画像の状態に応じて記録媒体のプラテン上での吸着を適切に行うことができるインクジェット記録装置を提供することを目的とする。
【課題を解決するための手段】
【００１０】
本発明は、インクを吐出可能な記録ヘッドを用い、記録媒体を支持可能なプラテンの支持面に沿って搬送される前記記録媒体に対して、前記記録ヘッドからインクを吐出することによって画像を記録する記録装置であって、記録媒体を支持する前記プラテンの支持面に形成され、記録媒体の搬送が行われる搬送方向に延びる溝と、前記溝の内部に形成されて吸引を行う第１の吸引部と、前記第１の吸引部から外気を吸引させる第１の吸引手段と、前記プラテンの支持面に形成された第２の吸引部と、前記第２の吸引部から外気を吸引させる第２の吸引手段と、記録媒体の剛性及び記録デューティの少なくとも一方に基づいて、第１の吸引手段による吸引量と第２の吸引手段による吸引量との割合を制御することが可能な制御手段と、を有することを特徴とする。
【発明の効果】
【００１１】
本発明によれば、記録媒体を記録位置に吸着させる際に吸引を使い分けることにより記録媒体の特性及び記録画像の状態に応じた適切な吸引によって記録媒体をプラテンに適切に吸着させることができる。
【図面の簡単な説明】
【００１２】
【図１】本発明の第一実施形態に係る記録装置の要部を模式的に示した斜視図である。
【図２】図１の記録装置における筐体が取り付けられた状態の要部について模式的に示した断面図である。
【図３】図１の記録装置におけるプラテン周辺及び吸引の行われる際の流路の構成について模式的に示した断面図である。
【図４】図３のプラテンを記録ヘッド側から見て模式的に示した平面図である。
【図５】（ａ）、（ｂ）は、図３の溝吸引シャッターについてそれぞれの状態ごとに拡大して模式的に示した断面図である。
【図６】（ａ）、（ｂ）は、図３の縁無しシャッターについてそれぞれの状態ごとに拡大して模式的に示した断面図である。
【図７】図１の記録装置の制御系の概略構成について示したブロック図である。
【図８】（ａ）は図１の記録装置における別の実施形態のプラテン周辺について模式的に示した平面図であり、（ｂ）は（ａ）のプラテンの要部について拡大して模式的に示した断面図である。
【図９】本発明の第二実施形態に係る記録装置の要部について模式的に示した断面図である。
【図１０】（ａ）、（ｂ）、（ｃ）は、図９の記録装置におけるダクトシャッターについてそれぞれの状態ごとに拡大して模式的に示した断面図である。
【図１１】本発明の第三実施形態に係る記録装置の記録ヘッド及びプラテンの周辺について模式的に示した断面図である。
【図１２】図１１の記録装置によって吸着が行われる際の制御フローについて示したフローチャートである。
【発明を実施するための形態】
【００１３】
以下、添付図面を参照して本発明の好適な実施形態について説明する。
【００１４】
（第一実施形態）
図１に、第一実施形態に係る記録装置１００の斜視図を示す。また、図２に、第一実施形態に係る記録装置１００の筐体が取り付けられた状態における断面図を示す。図１、図２において、記録装置１００は記録ヘッド３１から記録媒体へインクを吐出して記録を行うインクジェット記録装置であり、本実施形態では、記録媒体としてロール状に巻回された用紙（ロール紙）Ｐｒが使用されている。
【００１５】
記録装置内には、搬送ローラ４１等からなる搬送機構４０が設けられている。ロール紙Ｐｒは、回転軸を中心に回転可能に配置されている。そこから、ロール紙Ｐｒが回転しながらロール紙Ｐｒにおける先端部分が巻き出される。ロール紙Ｐｒの先端部分は、搬送下ガイド６１と搬送上ガイド６２との間を通り、搬送ローラ４１とピンチローラ４３とによるニップ位置を通って、記録ヘッド３１に対向した記録位置を通過し、排紙位置に到達する。ロール紙Ｐｒの一部は、搬送ローラ４１とピンチローラ４３とによるニップ位置で挟まれる。この状態から、搬送ローラ４１が回転駆動されることで、ロール給紙部６０からロール紙Ｐｒが搬送方向Ｙに連続的に搬送されて供給される。搬送ローラ４１の軸には搬送プーリ４６が取り付けられており、搬送モータ４２による回転駆動が搬送プーリ４６に搬送ベルト４５を介して伝達されることにより、搬送ローラ４１が回転駆動される。ピンチローラ４３は、ピンチローラアーム４４によって回転可能に軸支されている。また、ピンチローラ４３は、搬送ローラ４１に対して圧接する方向に付勢されて支持されている。
【００１６】
搬送ローラ４１の搬送方向下流側には、記録媒体を支持可能なプラテン１０が記録ヘッド３１に対向して配設されている。記録ヘッド３１を搭載したキャリッジ３２は、記録媒体の搬送方向に交差する主走査方向Ｘに往復移動可能に配されており、本実施形態では特に、キャリッジ３２による主走査方向Ｘは記録媒体の搬送方向に直交している。キャリッジ３２は、主走査モータが駆動されることで主走査方向Ｘに往復移動する。記録ヘッド３１の記録媒体と対向する吐出面には、所定ピッチで配列した複数の吐出口からなる吐出口列が形成されている。カラー記録を行うことを可能とするために、記録ヘッド３１には、インク色ごとの複数の吐出口列が形成されている。また、記録ヘッド３１は、吐出口からインクを吐出可能に形成されている。記録ヘッド３１は、画像情報に基づいて記録媒体にインクを吐出することにより記録媒体に画像を記録する。記録の行われたロール紙Ｐｒは、カッター（図示せず）により切断され、切断された部分は排紙部５０から装置外へ排出される。
【００１７】
次に、本実施形態に係るプラテンの周囲の構成について説明する。
【００１８】
図３は、吸引ダクト及び負圧発生手段を含んだプラテン吸引構成の断面図である。図４は、プラテン上面の平面図である。図５（ａ）、（ｂ）は、各吸引ダクトに設けられた負圧切り替え手段（シャッター）の模式図である。
【００１９】
プラテン１０は、記録ヘッド３１と対向する位置で記録媒体を支持する。本実施形態では、プラテン１０は、記録ヘッド３１の吐出面から所定の距離をおいた位置で記録媒体を案内支持する。このプラテン１０には、複数の吸引孔が形成されている。そして、吸引孔からの負圧吸引力によって記録媒体がプラテン１０上に吸着される。本実施形態では、プラテン１０は、中空状の筐体１１の上面に形成されている。
【００２０】
プラテン１０には、記録媒体の搬送方向Ｙに沿う方向に延びた溝１３が形成されている。溝１３は、主走査方向Ｘに沿って複数形成されており、複数の溝１３同士の間には主走査方向Ｘに沿って複数のリブ１５が形成されている。リブ１５は、溝１３同士の間で、搬送方向Ｙに沿う方向に延びるように形成されている。溝１３の内部には、外気を吸引してプラテン１０への記録媒体の吸着を行うための溝吸引孔（第１の吸引部）１２が形成されている。本実施形態では、一つの溝１３につき二つの溝吸引孔１２が形成されている。プラテン１０では、溝吸引孔１２及び後述するリブ吸引部１４が、交互に配列される構成になっている。また、溝１３に形成された溝吸引孔１２に連通するように、筐体１１の内部には、溝吸引ダクト（吸引ダクト）１６が形成されている。溝吸引ダクト１６は、溝吸引孔１２と溝吸引ファン（第１の吸引ファン）１８との間に接続され、溝吸引孔１２から吸引した空気を溝吸引ファン１８及び通気口２０に供給している。また、溝吸引ダクト１６は、後述する溝吸引シャッター２１を介して、大気に開口された通気口２０及び溝吸引ファン１８に連通している。溝吸引ファン１８は、回転駆動されることにより、溝吸引ダクトを介して溝吸引孔１２から外気を吸引可能に構成されている。また、溝吸引ファン１８は、溝吸引孔１２から吸引した空気を、記録装置１００の外部に強制的に排気する。溝吸引シャッター２１と通気口２０との間には、大気ダクト（外気ダクト）２２が配置されている。すなわち、通気口２０が、溝吸引ダクト１６から分岐した大気ダクト２２が外部の大気と連通する位置に形成されている。また、溝吸引シャッター２１と溝吸引ファン１８との間には、負圧連結ダクト２３が配置されている。
【００２１】
リブ１５における記録媒体と当接して支持する支持面１５ａには、溝吸引孔１２と同様に、外気を吸引してプラテン１０への記録媒体の吸着を行うためのリブ吸引孔（第２の吸引部）１４が形成されている。本実施形態では、一つのリブ１５における支持面１５ａにつき二つのリブ吸引孔１４が形成されている。それぞれのリブ吸引孔１４は、リブ吸引ダクト１７を介してリブ吸引ファン（第２の吸引ファン）１９に接続されている。
【００２２】
また、プラテン１０には、リブ１５同士の間に形成された溝１３以外に、縁無し記録を行う際に用いるための縁無し溝２９ａ、２９ｂ、２９ｃが形成されている。縁無し溝２９ａ、２９ｂ、２９ｃは、使用が想定される記録媒体のそれぞれのサイズごとに合わせて形成される。本実施形態では、図３におけるプラテン１０の右端部に近い位置に縁無し溝２９ａが形成され、この縁無し溝２９ａに記録媒体の端部が合わせられる。また、記録媒体における主走査方向Ｘに沿った長さ（幅寸法）に応じて、左端に近い位置に設けられた縁無し溝２９ｂ、２９ｃが使い分けられる。使用される記録媒体における主走査方向Ｘに沿った長さが、右端側の縁無し溝２９ａと左端側における中央寄りの位置に形成された縁無し溝２９ｂとの間の長さに相当するときには、中央寄りに形成された左端側の縁無し溝２９ｂが用いられる。また、使用される記録媒体における主走査方向Ｘに沿った長さが、右端側の縁無し溝２９ａと左端部に近い位置に形成された縁無し溝２９ｃとの間の長さに相当するときには、左端部に近い位置に形成された左端側の縁無し溝２９ｃが用いられる。図３では、記録媒体における主走査方向Ｘに沿った長さが、右端側の縁無し溝２９ａと左端部に近い位置に形成された縁無し溝２９ｃとの間の長さに相当する場合について示されている。
【００２３】
それぞれの縁無し溝２９ａ、２９ｂ、２９ｃは、凹形状に形成されており、記録媒体の主走査方向Ｘに沿った端部まで記録が行われる縁無し記録（余白無し記録）が行われる際に、記録媒体からはみ出したインクを受けるインク受け部として設けられている。なお、本実施形態では、縁無し溝２９ａ、２９ｂ、２９ｃは、二種類の主走査方向Ｘに沿う長さの記録媒体に対応するために、記録媒体の主走査方向Ｘに沿う長さに応じて縁無し溝２９ｂ、２９ｃを使い分けることとした。そして、縁無し溝２９ａが、主走査方向Ｘに沿う長さの異なる記録媒体に対し、それぞれ共通して用いられることとした。しかしながら、本発明はこれに限定されず、三種類以上の主走査方向Ｘへの長さの記録媒体に対応できるように、さらに多くの縁無し溝が形成されても良い。また、本実施形態では、一つの縁無し溝が複数の主走査方向Ｘへの長さの記録媒体に対して共通して用いられることとされているが、本発明はこれに限定されない。両端部の縁無し溝が、複数の主走査方向Ｘへの長さの記録媒体ごとに異なるように、別々の縁無し溝が用いられることとしても良い。
【００２４】
それぞれの縁無し溝２９ａ、２９ｂ、２９ｃは、縁無し吸引ダクト３３に連通している。縁無し吸引ダクト３３は、縁無しシャッター３４を介して負圧連結ダクト２３に接続されている。
【００２５】
次に、溝吸引シャッター２１（接続手段）について、図５（ａ）、（ｂ）に示される模式的な断面図を用いて説明する。図５（ａ）には、溝吸引ダクト１６と大気ダクト２２とが連通しているときの溝吸引シャッター２１が示されており、図５（ｂ）には、溝吸引ダクト１６と負圧連結ダクト２３とが連通しているときの溝吸引シャッター２１が示されている。
【００２６】
本実施形態では、溝吸引シャッター２１は、大気ダクト２２、溝吸引ダクト１６、負圧連結ダクト２３の三つの空気の流路における分岐点として形成されている。これらの大気ダクト２２、溝吸引ダクト１６及び負圧連結ダクト２３が、負圧室２４で一つに接続されている。負圧室２４の内部には、調整弁２５が配置されている。調整弁２５は円筒状に形成されており、負圧室２４の内部で回転可能に配置されている。本実施形態では、調整弁２５は、負圧室２４の内部で、モータなどの駆動により制御されて回転駆動を行う。調整弁２５には、空気を通すための流路が形成されている。本実施形態では、調整弁２５に、大気調整孔２６、溝吸引調整孔２７及び負圧孔２８が形成されている。
【００２７】
本実施形態では、負圧室２４の内部で調整弁２５が移動しても、溝吸引調整孔２７は溝吸引ダクト１６と連通したままであり、溝吸引ダクト１６が負圧室２４の内部に連通するように調整弁２５が形成されている。そして、負圧室２４の内部で調整弁２５が移動することにより、大気調整孔２６及び負圧孔２８が移動して大気ダクト２２及び負圧連結ダクト２３の開閉が制御されている。そのため、本実施形態では、調整弁２５が負圧室２４の内部で回転することで、溝吸引ダクト１６が、大気ダクト２２と負圧連結ダクト２３とのどちらの流路と連通するのかが選択されて制御される。このように、溝吸引シャッター２１は、溝吸引孔１２に対して、大気ダクト２２または溝吸引ダクト１６を選択的に接続する。
【００２８】
溝吸引シャッター２１は、図５（ａ）に示される状態では、負圧連結ダクト２３が閉じられて大気ダクト２２が開けられている。従って、溝吸引ダクト１６は大気ダクト２２と連通し、溝１３内部と記録媒体によって囲まれた空間の圧力は大気圧に保たれる。一方、溝吸引シャッター２１が図５（ｂ）に示される状態では、負圧連結ダクト２３が開けられて大気ダクト２２が閉じられている。従って、溝吸引ダクト１６が負圧連結ダクト２３と連通し、溝吸引ファン１８が回転駆動されているときには、溝吸引ダクト１６及び溝１３内部と記録媒体によって囲まれた空間から溝吸引ファン１８によって空気が外部に排出される。溝吸引ダクト１６及び溝１３内部と記録媒体によって囲まれた空間から排気されると、そこでの圧力が低下し、圧力が大気圧よりも小さくなると負圧が形成される。従って、プラテン１０上に記録媒体が配置されたときには、その負圧によって記録媒体がプラテン１０上に吸着されることになる。
【００２９】
本実施形態では、図５（ａ）に示される溝吸引ダクト１６と大気ダクト２２とが連通しているときにおいては、溝吸引ダクト１６及び大気ダクト２２の流路では、負圧室２４の内部に対して開口部が全開の状態である。負圧連結ダクト２３の流路では、負圧室２４の内部に対して開口部は全閉の状態である。一方、図５（ｂ）に示されるように、溝吸引ダクト１６と負圧連結ダクト２３とが連通して溝１３内の吸引が行われる場合には、大気ダクト２２が負圧室２４に対して全閉の状態になるまで調整弁２５が回転移動される。また、溝吸引ダクト１６及び負圧連結ダクト２３の流路では、負圧室２４の内部に対して開口部が全開の状態である。本実施形態では、調整弁２５と負圧室２４の隙間には、パッキンなどのシール材が配置される。従って、溝吸引ファン１８の回転駆動によって溝吸引ダクト１６に負圧が形成されたときに、負圧の漏れ（リーク）が起こり難いように溝吸引シャッター２１が構成されている。
【００３０】
次に縁無しシャッター３４について説明する。縁無しシャッター３４についての模式的な断面図を図６（ａ）、（ｂ）に示す。縁無しシャッター３４についても上述の溝吸引シャッター２１と同様に、負圧室８０内部で調整弁８１を回転移動させることで、負圧室８０に接続されているそれぞれの流路の間の連通を制御している。本実施形態では、調整弁８１の回転によりそれぞれの縁無し溝２９ａ、２９ｂ、２９ｃ及び負圧連結ダクト２３の間の連通が制御されている。
【００３１】
縁無し溝２９ａは、異なる種類の記録媒体に対して共通して用いられる縁無し溝なので、縁無し溝２９ａと負圧連結ダクト２３との間の流路は連通した状態が保たれる。そして、記録媒体の主走査方向Ｘに沿った長さに応じて縁無し溝２９ｂ、２９ｃのいずれか一方が用いられる。従って、縁無し溝２９ｂ、２９ｃのいずれかから、負圧連結ダクト２３と連通する縁無し溝が選択される。図６（ａ）に、縁無し溝２９ｂが負圧連結ダクト２３と連通し、縁無し溝２９ｃへの流路が閉じられた状態が示されている。これにより、縁無し溝２９ａ、２９ｂが負圧連結ダクト２３と連通するので、縁無し溝２９ａ、２９ｂ内の空間で溝吸引ファン１８による吸引が行われる。従って、記録媒体の主走査方向Ｘに沿う長さが縁無し溝２９ａ、２９ｂの間の長さに相当する記録媒体に縁無し記録を行う場合に、縁無し溝２９ａ、２９ｂにはみ出したインクを縁無し溝２９ａ、２９ｂから吸引することが可能である。
【００３２】
また、図６（ｂ）に、縁無し溝２９ｃが負圧連結ダクト２３と連通し、縁無し溝２９ｂへの流路が閉じられた状態が示されている。これにより、縁無し溝２９ａ、２９ｃが負圧連結ダクト２３と連通するので、縁無し溝２９ａ、２９ｃ内の空間で溝吸引ファン１８による吸引が行われる。従って、記録媒体の主走査方向Ｘに沿う長さが縁無し溝２９ａ、２９ｃの間の長さに相当し記録媒体に縁無し記録を行う場合に、縁無し溝２９ａ、２９ｃにはみ出したインクを縁無し溝２９ａ、２９ｃから吸引することが可能である。このように、負圧連結ダクト２３と連通する縁無し溝が、縁無しシャッター３４における調整弁８１を回転移動させることで選択されている。これにより、溝吸引孔１２による記録媒体の吸着と、各縁無し溝２９ａ、２９ｂ、２９ｃからの廃インクの排出とを１つの吸引ファンとしての溝吸引ファン１８で行うことができる。
【００３３】
図７は、本実施形態におけるインクジェット記録装置の制御系の概略構成を示すブロック図である。図７において、記録装置の各部の動作は、ＲＯＭ２０１内に格納された制御プログラム及びＲＡＭ２０２に格納された種々のデータなどに基づいてＣＰＵ２００により制御される。すなわち、ＣＰＵ２００には、記録ヘッド３１に設けられた記録素子を駆動させるヘッド駆動回路２０３、主走査モータ２０４を駆動する主走査モータ駆動回路２０５、搬送モータ４２を駆動させる搬送モータ駆動回路２０６などが接続されている。また、溝吸引ファン１８の駆動を行うための駆動源である吸引ファン駆動用モータ２０７がＣＰＵ２００に接続されている。また、リブ吸引ファン１９の駆動を行うための駆動源である吸引ファン駆動用モータ２０８がＣＰＵ２００に接続されている。ＣＰＵ２００は、吸引ファン駆動用モータ２０７、２０８に供給される電力を調節して、溝吸引ファン１８、リブ吸引ファン１９の回転数を制御する回転数制御手段として機能している。また、本実施形態の記録装置には、キャリッジ３２における記録媒体と対向する面と、記録媒体の記録面との間の距離を検出するギャップセンサ５３が設けられており、ギャップセンサ５３がＣＰＵ２００に接続されている。
【００３４】
以上の構成を有する記録装置１００によって記録媒体をプラテン１０上に吸着させるプラテン吸引が行われる。プラテン吸引が行われる際には、溝吸引ファン１８及びリブ吸引ファン１９を回転駆動させることでプラテン上の吸引孔からの吸引が行われる。これにより、記録媒体が、プラテン上に吸着される。このとき、剛性が高く、たわみ難い記録媒体（以下、腰の強い記録媒体とも言うものとする）に対しては、記録媒体をプラテン１０上に確実に吸着させるために、吸引力の高い吸着が行われることが望ましい。従って、この場合には、溝吸引孔１２による吸引のみ、または、溝吸引孔１２とリブ吸引孔１４の両方による吸引によってプラテン１０への記録媒体の吸着が行われる。
【００３５】
また、巻き癖の強い記録媒体、程度の大きなコックリングの生じ易い高記録デューティの画像の記録が行われる記録媒体へ記録が行われる際には、プラテン１０の支持面１５ａ上で記録媒体が変形する可能性がある。ここで、記録デューティは、記録画像における単位面積当たりのインク使用量のことを言うものとする。記録媒体が変形した場合、変形の程度によっては、記録媒体が記録ヘッド３１と接触して記録画像を汚してしまい、記録画像の品質を低下させてしまう可能性がある。このような場合においても、変形した記録媒体が記録ヘッドに接触しないように、溝吸引孔１２による吸引のみ、または、溝吸引孔１２とリブ吸引孔１４の両方による吸引によってプラテン１０への記録媒体の吸着が行われる。このように記録媒体のプラテン１０への吸着が行われることで、記録媒体のプラテン１０への吸着の際には溝吸引孔１２からの吸引が行われ、記録媒体が変形したとしても溝吸引孔１２からの吸引により記録媒体の変形した部分が溝１３の内部に引き込まれる。そのため、記録媒体の変形した部分が記録ヘッド３１の方へ突出してしまい、記録媒体と記録ヘッド３１とが接触することで記録媒体上の記録画像を汚してしまい、記録画像の品質を低下させてしまうことを抑えることができる。従って、腰の強い記録媒体、巻き癖の強い記録媒体及び高デューティの画像の記録が行われる記録媒体に対して記録が行われる場合には、溝吸引孔１２による吸引のみ、または、溝吸引孔１２とリブ吸引孔１４の両方による吸引によって吸引が行われる。
【００３６】
このとき、溝吸引孔１２のみ、または、溝吸引孔１２とリブ吸引孔１４の両方によって吸引が行われるように、溝吸引シャッター２１が、溝吸引ファン１８と連通する流路を選択する。この場合には、溝吸引ダクト１６が、溝吸引ファン１８に接続された負圧連結ダクト２３に連通するように、溝吸引シャッター２１内部の調整弁２５が回転移動する。また、リブ吸引孔１４からも吸引が行われる際には、リブ吸引ファン１９を回転駆動させることでリブ吸引ファン１９に接続されたリブ吸引ダクト１７の開口部としてのリブ吸引孔１４からの吸引が行われる。
【００３７】
また、溝吸引シャッター２１が上記のように調節されると共に、縁無しシャッター３４の調整により、縁無し記録時における縁無し溝２９ａ、２９ｂ、２９ｃのうち、どの吸引溝からの吸引が行われるかの調節が行われる。これにより、記録時に、ミストによって記録媒体の裏面に汚れが生じることが防止される。
【００３８】
一方、比較的剛性が低く、たわみ易い記録媒体（以下、腰の弱い記録媒体とも言うものとする）に対して、線画等の単位面積当たりのインク使用量の少ない低記録デューティによる記録が行われるときには、リブ吸引孔１４からのリブ吸引のみが行われる。このとき、溝吸引孔１２からの吸引が行われないまま、リブ吸引孔１４からの吸引が行われる。この場合、溝吸引シャッター２１は、溝吸引孔１２から吸引が行われないように、溝吸引孔１２から延びた溝吸引ダクト１６が通気口２０に接続された大気ダクト２２に連通するように調整弁２５の位置が調節される。また、プラテン１０における支持面１５ａに形成されたリブ吸引孔１４からの吸引を行うことが可能なように、リブ吸引ファン１９が回転駆動される。このように、腰の弱い記録媒体に対し低記録デューティによる記録が行われる際には、リブ吸引のみによって吸引が行われ、記録媒体の吸着の際に溝吸引孔１２からの吸引は行われない。従って、記録媒体をプラテン１０に吸着させる際に、コックリングが生じていないにも関わらず、記録媒体の一部がリブの間に引き込まれることが抑えられる。これにより、記録媒体の一部がリブの間の溝内部に引き込まれることで記録媒体が波打ち、記録媒体と記録ヘッドとの間の距離が一定でなくなり、これによってインク滴の着弾精度が一定でなくなることが抑えられる。従って、インクの着弾位置にずれが生じることで記録画像にムラが生じることが抑えられ、記録によって得られる記録画像の品質が高く維持される。
【００３９】
なお、本実施形態では、記録媒体の腰が比較的強い場合や、記録デューティが比較的高い場合には、溝吸引孔１２のみ、あるいは、溝吸引孔１２とリブ吸引孔１４の両方によって吸引が行われている。しかしながら、記録デューティが比較的高いにも関わらず記録媒体の腰が比較的弱い場合には、溝吸引孔１２からの吸引が行われることによって記録媒体が溝の内部に入り込む可能性がある。従って、本実施形態では、記録デューティが比較的高い場合であっても、記録媒体の腰の強さに応じて溝吸引孔１２からの吸引の強さが調節される。この場合、腰の弱い記録媒体に対しては、溝吸引孔１２からの吸引が弱くなるように吸引が設定される。すなわち、記録媒体の剛性が低い程、リブ吸引孔１４からの吸引による吸引量に対して溝吸引孔１２からの吸引による吸引量の割合を小さくするように、それぞれの吸引量の割合が制御される。そのため、比較的腰の弱い記録媒体に対し記録デューティの比較的高い記録が行われる場合には、溝吸引孔１２とリブ吸引孔１４との両方によって吸引が行われると共に、溝吸引孔１２からの吸引が弱く設定された状態で吸引が行われる。このように吸引が行われるので、比較的腰の弱い記録媒体に対して記録デューティが比較的高い記録が行われる場合に、コックリングによって記録媒体が記録ヘッドの方へ変形することを抑えながら、記録媒体が溝１３の内部に入り込むことを抑えることができる。また、記録デューティが高い画像を記録する際には、コックリングの程度が高くなる可能性があるので、溝吸引孔１２からの吸引量を比較的高くする。これにより、コックリングが生じたときに記録媒体の変形した部分が記録ヘッド３１の方へ突出することが抑えられる。逆に記録デューティの低い画像を記録する場合には、コックリングの生じる可能性が小さいにも関わらず記録媒体を溝１３の内部に引き込む可能性があるので、溝吸引孔１２からの吸引による吸引量を比較的小さくする。すなわち、記録が行われる際の記録デューティが低い程、リブ吸引孔１４からの吸引による吸引量に対して溝吸引孔１２からの吸引による吸引量の割合を小さくするように、それぞれの吸引量の割合が制御される。これにより、溝１３の内部に記録媒体が引き込まれることで記録媒体が波打ち、記録ヘッド３１と記録媒体との間の距離が一定でなくなることで記録画像の品質が低下することを抑えることができる。
【００４０】
また、縁無し記録が行われる際には、縁無しシャッター３４の調整弁８１を調節することにより、記録媒体の主走査方向Ｘに沿う方向への長さに応じて、縁無し溝からの吸引が行われる。従って、縁無し記録が行われる際に、記録媒体からはみ出したインクについて吸引して回収することができる。本実施形態では、縁無し溝２９ａ、２９ｃからのインクの吸引が行われる。このとき、溝吸引ファン１８が回転駆動されると共に、負圧連結ダクト２３と縁無し溝２９ａ、２９ｃとが連通するように、縁無しシャッター３４における調整弁８１の位置が調節される。
【００４１】
本実施形態では、吸引を行う縁無し溝の調節が、縁無しシャッター３４によって行われている。しかしながら、縁無し溝からの吸引を行う際には、縁無し溝２９ａ、２９ｂ、２９ｃといったプラテン１０上の全ての縁無し溝から吸引を行うこととしても良い。この場合、記録媒体の両端部よりも内側に位置する縁無し溝２９ｂについては吸引の際には使用されない。ところが、プラテン上１０の全ての縁無し溝から吸引が行われていることにより、縁無し溝２９ｂからも吸引が行われる。腰の弱い記録媒体に対して記録が行われている場合、記録媒体の両端部よりも内側に位置する縁無し溝２９ｂから吸引が行われると、これによって記録媒体の一部が縁無し溝２９ｂの内部に引き込まれる場合がある。これによって記録媒体が波打ち、記録媒体の記録面と記録ヘッドとの間の距離が一定でなくなり、インクの着弾位置にずれが生じ、これによって記録画像にムラが生じる可能性がある。このような場合に対応するために、本実施形態では、縁無し溝２９ｂと、縁無し溝２９ｂに隣り合う溝１３ａの一部との間が連通するように、縁無し溝２９ｂとその溝１３ａとの間に連結リブ３５が形成されている。腰が弱くコックリングの生じる可能性の少ない低デューティによる記録の行われている記録媒体へ記録が行われている際には、溝吸引孔１２からの吸引は行われていない。従って、溝吸引シャッター２１が調節されることによって、溝吸引孔１２から延びた溝吸引ダクト１６は、通気口２０に接続された大気ダクト２２に連通している。従って、溝１３ａの内部の圧力は、大気圧に保たれている。縁無し溝２９ｂと溝１３ａとが連通するので、縁無し溝２９ｂの内部の圧力が大気圧に保たれる。これにより、腰が弱く低デューティによる記録の行われている記録媒体へ記録が行われている際に、記録媒体の一部が縁無し溝２９ｂの内部に引き込まれることが抑えられ、記録媒体が波打つことを防ぐことができる。
【００４２】
リブ吸引孔１４及び溝吸引孔１２の両方からの吸引、溝吸引孔１２のみからの吸引、リブ吸引孔１４からのみの吸引からの吸引方法の選択については、記録装置１００に認識された記録モード及び記録媒体の種類から、記録装置が選択することとしても良い。また、ユーザによって吸引方法が選択されることとしても良い。また、記録媒体の種類の認識については、記録媒体の種類が記録装置によって検出されることとしても良い。また、ユーザが記録装置１００に記録媒体の種類を入力することとしても良い。
【００４３】
本実施形態では、溝吸引孔１２からの吸引を行うための溝吸引ファン１８と、リブ吸引孔１４からの吸引を行うためのリブ吸引ファン１９とが個別に構成されている。従って、溝吸引孔１２からの吸引による吸引量とリブ吸引孔１４からの吸引による吸引量とが個別に制御される。本実施形態では、ＣＰＵ２００が、溝吸引孔１２からの吸引による吸引量とリブ吸引孔１４からの吸引による吸引量とを個別に制御する制御手段として機能する。
【００４４】
なお、本実施形態のリブ１５における記録媒体と当接して支持する支持面１５ａは平面状に形成されているが、本発明はこれに限定されない。リブ１５における支持面１５ａには、記録媒体をプラテン１０上に効率よく吸着させるために、図８（ａ）、（ｂ）に示されるように、スリット３７が設けられても良い。図８（ａ）に、リブ１５における記録媒体と当接して記録媒体を支持する支持面１５ａについての平面図を示し、図８（ｂ）に、図８（ａ）におけるＢ−Ｂ線に沿う断面図を示している。図８（ａ）、（ｂ）に示される形態によれば、スリット３７の全体から吸引を行うことで記録媒体をプラテン１０上に吸着させることができる。従って、記録媒体の吸着を比較的広い範囲で行うことができ、効率的に記録媒体の吸着を行うことができる。スリット３７の形状としては、例えば、幅Ｗをリブ１５の支持面１５ａの幅よりも狭くし、かつスリット３７の幅と同等またはそれ以下の深さＤとすることが好ましい。スリット３７をこのような形状に形成することにより、より効率的に記録媒体の吸着を行うことができる。
【００４５】
（第二実施形態）
次に、第二実施形態に係る記録装置について説明する。なお、上記第一実施形態と同様に構成される部分については図中同一符号を付して説明を省略し、異なる部分についてのみ説明する。
【００４６】
図９に、第二実施形態における記録装置のプラテン周辺における模式的な断面図を示す。第二実施形態では、溝吸引ダクト１６とリブ吸引ダクト１７との間が接続され、その接続部分にダクトシャッター（ダクト切り替え機構）５１が配置されている。また、ダクトシャッター５１の上流に、それぞれの吸引孔で負圧を発生させる手段としての共通吸引ファン（第３の吸引ファン）５２が１つだけ設けられている。ダクトシャッター５１について拡大して示した断面図を、図１０（ａ）〜１０（ｃ）に示す。
【００４７】
ダクトシャッター（第２の流路切り替え弁）５１は、第一実施形態における溝吸引シャッター２１と同様に、負圧室８２の内部で調整弁８３が回転移動することで、負圧室８２に接続されている流路の間の接続関係を切り替えることが可能である。本実施形態におけるダクトシャッター５１の負圧室８２には、共通吸引ファン５２に接続された流路８４と、リブ吸引孔１４に接続されたリブ吸引ダクト１７と、溝吸引シャッター２１及び縁無しシャッター３４に接続された負圧連結ダクト２３が接続されている。調整弁８３がどのように移動しても、共通吸引ファン５２に接続された流路８４は開口された状態に保たれている。そして、調整弁８３の移動によって、リブ吸引ダクト１７と負圧連結ダクト２３における流路の開閉が切り替えられる。
【００４８】
図１０（ａ）には、負圧連結ダクト２３が開口され、リブ吸引ダクト１７が閉じられた状態にあるダクトシャッター５１についての模式的な断面図が示されている。この状態では、共通吸引ファン５２と負圧連結ダクト２３との間が連通しているので、共通吸引ファン５２が駆動されると負圧連結ダクト２３及び溝吸引シャッター２１に吸引が伝達される。溝吸引シャッター２１は、溝吸引孔１２に延びる溝吸引ダクト１６が、負圧連結ダクト２３と、通気口２０に接続された大気ダクト２２とのいずれか一方に連通するように形成されている。従って、溝吸引ダクト１６と、負圧連結ダクト２３とが接続されるように溝吸引シャッター２１が作動したときに、共通吸引ファン５２からの吸引が、溝吸引ダクト１６を介して溝吸引孔１２に到達する。従って、そのときには、共通吸引ファン５２からの吸引によって、溝吸引孔１２からの吸引を行うことができる。また、共通吸引ファン５２と負圧連結ダクト２３との間が連通する状態にあっても、溝吸引シャッター２１によって溝吸引ダクト１６と大気ダクト２２とが連通するように作動しているときには、共通吸引ファン５２からの吸引は溝吸引孔１２に到達しない。従って、そのようなときには、共通吸引ファン５２による溝吸引孔１２からの吸引を行うことはできない。
【００４９】
また、負圧連結ダクト２３は縁無しシャッター３４にも接続されているので、使用される縁無し溝が選択されると、共通吸引ファン５２の駆動により縁無し溝からのインクの吸引も行うことができる。
【００５０】
図１０（ｂ）には、負圧連結ダクト２３が閉じられ、リブ吸引ダクト１７が開口された状態にあるダクトシャッター５１についての模式的な断面図が示されている。この状態では、共通吸引ファン５２と、リブ吸引ダクト１７との間が連通しているので、共通吸引ファン５２が駆動されると、それぞれのリブ吸引孔１４から吸引を行う。
【００５１】
図１０（ｃ）には、負圧連結ダクト２３及びリブ吸引ダクト１７の両方が部分的に開口された状態にあるダクトシャッター５１についての模式的な断面図が示されている。図１０（ｃ）に示されるように、ダクトシャッター５１は、調整弁８３が、図１０（ａ）に示される状態と図１０（ｂ）に示される状態との間の位置関係をとることで、負圧連結ダクト２３及びリブ吸引ダクト１７の両方を部分的に開口させることができる。従って、共通吸引ファン５２と、負圧連結ダクト２３及びリブ吸引ダクト１７の両方とを連通させることができる。これにより、溝吸引シャッター２１によって溝吸引ダクト１６と負圧連結ダクトとを連通させることで、リブ吸引孔１４からの吸引と溝吸引孔１２からの吸引とを同時に行うことができる。このとき、調整弁８３の位置を調節することで、共通吸引ファン５２に接続された流路８４からの吸引の負圧連結ダクト２３の方へ伝達される量と、リブ吸引ダクト１７の方へ伝達される量との間の割合が調節される。従って、調整弁８３の調節により、負圧連結ダクト２３と、リブ吸引ダクト１７との間の吸引の割合を調節することができる。これにより、リブ吸引孔１４からの吸引と溝吸引孔１２からの吸引との間の割合を決めることができる。このように、ダクトシャッター５１は、溝吸引ダクト１６とリブ吸引ダクト１７とに接続され、溝吸引孔１２から吸引された空気の吸引量とリブ吸引孔１４から吸引された空気の吸引量との間の割合を切り替えることが可能である。
【００５２】
また、吸引がこのようにダクトシャッター５１によって共通吸引ファン５２による吸引を溝吸引ダクト１６とリブ吸引ダクト１７とに振り分ける形態になるので、溝吸引孔１２からの吸引とリブ吸引孔１４からの吸引との合計の吸引量は一定である。従って、溝吸引孔１２からの吸引による吸引量とリブ吸引孔１４からの吸引による吸引量との合計の吸引量を一定とするように、溝吸引孔１２からの吸引による吸引量吸引量とリブ吸引孔１４からの吸引による吸引量吸引量とが関連的に制御されている。このとき、ＣＰＵ２００が、溝吸引孔１２からの吸引による吸引量吸引量とリブ吸引孔１４からの吸引による吸引量吸引量とを関連的に制御する制御手段として機能する。
【００５３】
第二実施形態の記録装置によれば、リブ吸引孔１４からの吸引と、溝吸引孔１２からの吸引と、縁無し溝２９ａ、２９ｂ、２９ｃからの吸引とを行うために負圧を発生させるためのファンが１つで済み、ファンの数を少なくすることができる。従って、騒音レベルを低下させることができる。また、振動レベルを低下させることができ、これによって記録画像の品質の低下を抑えることが可能である。また、記録装置の構成を簡易化することができ、記録装置を小型化することができると共に、記録装置の製造コストを低減させることができる。
【００５４】
（第三実施形態）
次に、第三実施形態に係る記録装置について説明する。なお、上記第一実施形態及び第二実施形態と同様に構成される部分については図中同一符号を付して説明を省略し、異なる部分についてのみ説明する。
【００５５】
図１１に、第三実施形態における記録装置の記録ヘッド３１及びプラテン１０の周囲について拡大して示した模式的な断面図を示す。第三実施形態では、リブ吸引孔１４からの吸引と、溝吸引孔１２からの吸引との両方によって記録媒体のプラテン１０への吸着が行われる。そして、溝吸引孔１２から吸引される空気の吸引量とリブ吸引孔１４から吸引される空気の吸引量との間の割合を切り替えることが可能である。さらに、第三実施形態の記録装置では、キャリッジ３２に、ギャップセンサ（距離検知手段）５３が取り付けられている。このギャップセンサ５３によって、記録ヘッド３１と記録媒体における記録面との間の距離を検知することができる。また、ギャップセンサ５３はキャリッジ３２に取り付けられているので、キャリッジ３２が主走査方向Ｘに移動したときにキャリッジ３２と共にギャップセンサ５３も主走査方向Ｘに移動することができる。従って、キャリッジ３２が主走査方向Ｘに走査しながらギャップセンサ５３が連続的に記録媒体と記録ヘッド３１との間の距離を検知することで、主走査方向Ｘにおける記録媒体の全体に亘って記録媒体と記録ヘッド３１との間の距離の分布を検出することができる。また、記録媒体の全体に亘って記録媒体と記録ヘッド３１との間の距離を検出しながらリブ吸引孔１４及び溝吸引孔１２による吸引を調節することで、それぞれの記録媒体に応じたリブ吸引孔１４及び溝吸引孔１２による吸引圧の決定を行うことができる。このときの記録媒体に応じた適切なリブ吸引孔１４及び溝吸引孔１２による吸引圧を、それぞれＱ１、Ｑ２とする。
【００５６】
第三実施形態の記録装置による、それぞれの記録媒体に応じた吸引によるリブ吸引孔１４及び溝吸引孔１２からの吸引について説明する。図１２に、記録媒体に応じた吸引によるリブ吸引孔１４及び溝吸引孔１２からの吸引圧の調整が行われる際のフローチャートを示す。
【００５７】
まず、プラテン上に記録媒体の無い状態でキャリッジ３２を主走査方向に移動させ、キャリッジ３２に搭載されたギャップセンサ５３により、キャリッジとプラテンの上面との間の距離が主走査方向Ｘの全体に亘って測定される（Ｓ１）。その後、記録媒体が、プラテン上に搬送される（Ｓ２）。このとき、記録媒体の種類が記録装置に入力される。記録媒体の種類の入力においては、ユーザによって入力されても良いし、記録装置によって記録媒体の種類が検出されても良い。それから、初期設定されている吸引圧によって記録媒体をプラテン１０上に吸着する（Ｓ３）。このとき、入力された記録媒体の種類に応じて記録媒体の種類に適した吸引圧が設定されることとしても良い。それから、ギャップセンサ５３によって、記録媒体の記録面と記録ヘッド３１との間の距離が測定される（Ｓ４）。このとき、キャリッジ３２が記録媒体における主走査方向の全体に亘って走査することで、主走査方向の全体に亘って記録媒体の記録面と記録ヘッド３１との間の距離の分布が測定される。また、主走査方向の全体に亘って記録媒体の記録面と記録ヘッド３１との間の距離の分布が検出されるので、一回の測定ごとに、記録媒体の記録面と記録ヘッド３１との間の距離についての変動が検出される。
【００５８】
ここで、ギャップセンサ５３による記録媒体の記録面と記録ヘッド３１との間の距離の測定が、条件を変えながらｎ回行われる。ここでは、溝吸引孔１２から吸引される空気の吸引量と、リブ吸引孔１４から吸引される空気の吸引量とを変えて、複数回、記録媒体の吸着が行われて、記録媒体へ記録が行われる。ギャップセンサ５３によって記録媒体の記録面と記録ヘッド３１との間の距離が測定される度に、距離の測定についての回数が、予め設定されていた閾値としてのｎ回以上となったかどうかについて判断される（Ｓ５）。ここでの距離の測定についての回数がｎ回以上となったときには、フローはＳ７へ進む。距離の測定についての回数がｎ回よりも少ない場合には、リブ吸引孔１４からの吸引及び溝吸引孔１２からの吸引の吸引圧を変更したうえで（Ｓ６）、再度、記録媒体の記録面と記録ヘッド３１との間の距離が測定される（Ｓ４）。そして、ｎ回に亘って行われた距離の測定において、記録媒体の記録面と記録ヘッド３１との間の距離が比較的大きく保たれ、距離についての変動が小さかったときのリブ吸引孔１４からの吸引及び溝吸引孔１２からの吸引の吸引圧が読み出される。具体的には、記録媒体と記録ヘッド３１との間の距離が全体に亘って予め設定されていた設定値以上であって、距離についての変動が予め設定されていた設定値の範囲内にあるときの、リブ吸引孔１４からの吸引及び溝吸引孔１２からの吸引の吸引量が読み出される。すなわち、ギャップセンサ５３によって検知された距離が所定の範囲に収まったときのリブ吸引孔１４からの吸引及び溝吸引孔１２からの吸引による吸引量が読み出される。そして、読み出されたリブ吸引孔１４からの吸引及び溝吸引孔１２からの吸引の吸引量のときの吸引圧が、最適な吸引圧Ｑ１、Ｑ２として設定される（Ｓ７）。このように、複数回の吸着のうち、記録ヘッド３１と記録媒体との間の距離が予め設定されていた距離についての閾値よりも大きく、その距離についての変動が予め設定されていた距離の変動についての閾値よりも小さい場合の吸引の割合が決定される。そのときの溝吸引孔１２から吸引された外気の吸引量と、リブ吸引孔１４から吸引された外気の吸引量とが、記録装置に設定される。
【００５９】
このように、溝吸引孔１２からの吸引及びリブ吸引孔１４からの吸引による吸引量を変更して記録媒体の支持面１５ａへの吸着が複数回行われる。そして、ギャップセンサ５３によって検知される距離が所定の範囲に収まるときの溝吸引孔１２からの吸引及びリブ吸引孔１４からの吸引による吸引量が、記録媒体に画像を記録するときのそれぞれの吸引による吸引量として設定される。また、設定された溝吸引孔１２から吸引された吸引量と、リブ吸引孔１４から吸引された吸引量とによって、以後記録媒体の吸着が行われて、プラテン１０上への記録媒体の吸着が行われる。そのため、記録媒体が記録ヘッド３１に接触せずに、かつ記録ヘッド３１との対向方向における記録媒体の変動が所定の範囲内に収まるように、溝吸引孔１２からの吸引及びリブ吸引孔１４からの吸引の吸引量が制御される。本実施形態では、ＣＰＵ２００が、溝吸引孔１２からの吸引及びリブ吸引孔１４からの吸引の吸引量を制御する制御手段として機能する。また、ＣＰＵ２００が、記録媒体に画像を記録するときの溝吸引孔１２からの吸引及びリブ吸引孔１４からの吸引の吸引量を設定する吸引量設定手段として機能する。
【００６０】
本実施形態の記録装置によれば、記録媒体の種類、使用環境に応じて最適なリブ吸引孔１４及び溝吸引孔１２からの吸引圧を設定することができる。このように設定された吸引圧によってリブ吸引孔１４及び溝吸引孔１２からの吸引が行われるので、吸引が行われる際の記録媒体の記録面と記録ヘッドとの間の距離の変動を小さく抑えることができる。従って、記録ヘッドと記録媒体における記録面との間の距離が大きく変動することで生じる着弾位置のずれが生じることを抑えることができ、記録によって得られる記録画像の品質が高く維持される。
【００６１】
（他の実施形態）
なお、上記実施形態では、記録媒体としてロール状に巻回された用紙（ロール紙）を使用するインクジェット記録装置を例に挙げて説明した。しかしながら、本発明は、記録媒体として定寸にカットされたカットシートなど、他の形態（形状、寸法など）の記録媒体を使用するインクジェット記録装置においても同様に適用可能である。さらに、上述の実施形態では、記録媒体に沿って移動するキャリッジに搭載された記録ヘッドで記録するシリアルスキャンタイプのインクジェット記録装置を例に挙げた。しかしながら、本発明はこれに限定されるものではなく、記録ヘッドが主走査方向に走査せず、副走査方向への記録媒体の搬送のみによって記録媒体に記録が行われるラインタイプのインクジェット記録装置に適用されても良い。また、その他の記録方式のインクジェット記録装置に対しても本発明が適用されても良い。また、本発明は、インクジェット記録装置であれば、記録ヘッドの数や使用するインクの種類数や性状等に関わらず、さらに、紙、プラスチックシートなど記録媒体の材質にも関係なく同様に適用可能である。
【符号の説明】
【００６２】
１０  プラテン
１２  溝吸引孔
１３  溝
１４  リブ吸引孔
１５ａ  支持面
３１  記録ヘッド
１００  記録装置
Ｐｒ  ロール紙
【図１】
0005812721.tif 000002
【図２】
0005812721.tif 000003
【図３】
0005812721.tif 000004
【図４】
0005812721.tif 000005
【図５】
0005812721.tif 000006
【図６】
0005812721.tif 000007
【図７】
0005812721.tif 000008
【図８】
0005812721.tif 000009
【図９】
0005812721.tif 000010
【図１０】
0005812721.tif 000011
【図１１】
0005812721.tif 000012
【図１２】
0005812721.tif 000013